【手続補正書】
【提出日】平成28年7月5日(2016.7.5)
【手続補正１】
【補正対象書類名】特許請求の範囲
【補正対象項目名】全文
【補正方法】変更
【補正の内容】
【特許請求の範囲】
【請求項１】
照明光を出射する出射端を有する発光部と、
所定の軸を中心とする周方向に配置され、前記出射端から入射された前記照明光を表面から出射する光学部材と、
該光学部材の半径方向内側の表面に隣接して設けられ、前記照明光を半径方向外方へ反射する反射層とを備え、
前記光学部材が、導光層と、該導光層よりも半径方向外側および前記所定の軸に沿う方向の一端側であって前記発光部の前記出射端の側とは反対側に位置する拡散層とを備え、
前記導光層は、前記出射端から前記照明光が入射されるとともに該照明光を導光し、
前記拡散層は、前記導光層から入射された前記照明光を拡散させながら導光する照明装置。
【請求項２】
前記出射端の形状が、円形、楕円、多角形、または、扇形である請求項１に記載の照明装置。
【請求項３】
前記光学部材が、周方向の一部分を長手方向に切り欠いてなる切欠部を有する略筒状である請求項１または請求項２に記載の照明装置。
【請求項４】
前記軸を中心とする前記周方向に配列される複数の前記光学部材を備え、
該各光学部材が、半径方向内側に平坦な側面を有する柱状であり、
前記反射層が、前記平坦な側面に設けられる請求項１または請求項２に記載の照明装置。
【請求項５】
前記軸を中心とする前記周方向に配列される複数の前記光学部材を備え、
該各光学部材が、半径方向内側に前記所定の軸を中心に湾曲した側面を有する略馬蹄形状を有する柱状であり、
前記反射層が、前記湾曲した側面に設けられている請求項３に記載の照明装置。
【請求項６】
照明光を出射する出射端を有する発光部と、
所定の軸を中心とする周方向に配置され、前記出射端から入射された前記照明光を表面から出射する光学部材と、
該光学部材の半径方向内側の表面よりも内側に設けられ、前記照明光を半径方向外方へ反射する反射層とを備え、
前記光学部材が、導光層と、該導光層よりも半径方向外側および前記所定の軸に沿う方向にて前記発光部の前記出射端側とは反対側である一端側に位置する拡散層とを備え、
前記導光層は、前記出射端から前記照明光が入射されるとともに該照明光を導光し、
前記拡散層は、前記導光層から入射された前記照明光を拡散させながら導光する照明装置。
【請求項７】
前記導光層が、前記照明光を伝搬する導光材からなり、
前記拡散層が、前記導光層を構成する前記導光材と同じ材質からなる導光材と、前記照明光を拡散する拡散材とから構成される請求項１から請求項６のいずれかに記載の照明装置。
【請求項８】
前記光学部材が、外周面と、該外周面から滑らかに連続するとともに先端側に向かって外径が漸次小さくなる錐状に形成された先端面とを有する請求項１から請求項７のいずれかに記載の照明装置。
【手続補正２】
【補正対象書類名】明細書
【補正対象項目名】０００６
【補正方法】変更
【補正の内容】
【０００６】
上記目的を達成するため、本発明は以下の手段を提供する。
本発明は、照明光を出射する出射端を有する発光部と、所定の軸を中心とする周方向に配置され、前記出射端から入射された前記照明光を表面から出射する光学部材と、該光学部材の半径方向内側の表面に隣接して設けられ、前記照明光を半径方向外方へ反射する反射層とを備え、前記光学部材が、導光層と、該導光層よりも半径方向外側および前記所定の軸に沿う方向の一端側であって前記発光部の前記出射端の側とは反対側に位置する拡散層とを備え、前記導光層は、前記出射端から前記照明光が入射されるとともに該照明光を導光し、前記拡散層は、前記導光層から入射された前記照明光を拡散させながら導光する照明装置を提供する。
【手続補正３】
【補正対象書類名】明細書
【補正対象項目名】００１１
【補正方法】変更
【補正の内容】
【００１１】
また、上記発明においては、前記軸を中心とする前記周方向に配列される複数の前記光学部材を備え、該各光学部材が、半径方向内側に平坦な側面を有する柱状であり、前記反射層が、前記平坦な側面に設けられていてもよい。
このようにすることで、光学部材の側面に反射層を形成する製造工程を簡略にすることができる。
【手続補正４】
【補正対象書類名】明細書
【補正対象項目名】００２５
【補正方法】変更
【補正の内容】
【００２５】
反射層３は、照明光に対して高い反射率を有し、光学部材２の内周面に隣接して設けられている。反射層３は、光学部材２の内周面に固定されたシートまたはパイプであってもよい。このとき、反射層３は、光学部材２との間に空気層を挟んで光学部材２に接していてもよく、光学部材２の屈折率と略同一の屈折率を有する光学接着剤で光学部材２に固定されていてもよい。または、反射層３は、光学部材２の内周面に形成された反射材の膜であってもよい。光学部材２の内周面から出射される照明光が反射層３によって光学部材２へ戻されることによって、光学部材２に観察光軸Ａに沿って入射された照明光のほぼ全部が、光学部材２の先端面および外周面から出射されて前方および側方の視野の照明に寄与することになる。これにより、高い照明効率を得ることができる。
【手続補正５】
【補正対象書類名】明細書
【補正対象項目名】００３０
【補正方法】変更
【補正の内容】
【００３０】
なお、本実施形態においては、光学部材２が、導光層４の外側のみに拡散層５を備えることとしたが、これに代えて、図５（ａ），（ｂ）に示されるように、導光層４の半径方向内側に設けられ、導光層４と反射層３との間に介在するもう１つの拡散層６を備え、半径方向に３つの層４，５，６が積層されてなる構造を有していてもよい。
このように構成された光学部材２において、照明光は、図６に示されるように、図１の光学部材２とほぼ同様の同じ振る舞いを示す。このようにしても、出射端１ａから照明光が入射される位置に設けられた導光層４によって、照明効率の向上を図ることができる。
【手続補正６】
【補正対象書類名】明細書
【補正対象項目名】００４０
【補正方法】変更
【補正の内容】
【００４０】
なお、本実施形態において、光学部材２２は、半径方向内側に平坦な側面を有する柱状であればよく、例えば、図１０（ａ），（ｂ）に示されるように、光学部材２２が、矩形の横断面形状を有する四角柱状であってもよい。
また、本実施形態において、発光体１が、図２または図３に示されるように、矩形以外の形状の出射端１ａを有していてもよい。
また、本実施形態において、光学部材２２が、図５に示されるように、もう１つの拡散層６を備えていてもよい。
【手続補正７】
【補正対象書類名】明細書
【補正対象項目名】００４３
【補正方法】変更
【補正の内容】
【００４３】
本実施形態において、光学部材２３は、光学部材２に比べて観察光軸Ａ方向に小さい寸法を有するリング状である。光学部材２３のその他の構成は、出射端１ａから照明光が入射される周方向の一部分において拡散層５が存在しないことを除いて、第１の実施形態の光学部材２と同様である。
光学部材２３の半径方向外側には、発光部１の出射端１ａから観察光軸Ａに平行に出射された照明光を光学部材２３の外周面に向かって９０°偏向する偏向プリズム７と、該偏向プリズム７の出射面と光学部材２３の外周面の一部とを接続する光学部材８とが備えられている。
【手続補正８】
【補正対象書類名】明細書
【補正対象項目名】００４６
【補正方法】変更
【補正の内容】
【００４６】
このように構成された本実施形態に係る照明装置４００によれば、第１の実施形態と同様に、１８０°以上の広い角度範囲を効果的かつ効率的に照明することができるとともに、細径の内視鏡にも好適に適用することができるという利点がある。
なお、本実施形態において、発光体１が、図２または図３に示されるように、矩形以外の形状の出射端１ａを有していてもよい。
また、本実施形態において、光学部材２３が、図５に示されるように、もう１つの拡散層６を備えていてもよい。
【手続補正９】
【補正対象書類名】明細書
【補正対象項目名】００４７
【補正方法】変更
【補正の内容】
【００４７】
１００，２００，３００，４００  照明装置
１  発光部
１ａ  出射端
２，２１，２２，２３  光学部材
２１ａ  切欠部
３，３１，３２，３３  反射層
４  導光層
５  拡散層
６  もう１つの拡散層
７  偏向プリズム
８  光学部材
Ａ  観察光軸